(57)【要約】【課題】  本発明は魚釣用スピニングリールのスプールに関し、スプールの軽量化を確保しつつ、スプールのスカート部内部への異物の侵入防止を図ると共に、意匠性の向上を図った魚釣用スピニングリールのスプールを提供することを目的とする。【解決手段】  請求項１に係る発明は、リール本体に支持されたスプール軸に取り付き、釣糸を巻回する釣糸巻回胴部と、その前方に設けられた前側フランジ部と、釣糸巻回胴部の後方に設けられた筒状のスカート部とで構成された魚釣用スピニングリールのスプールに於て、前記スカート部に貫通孔を設けると共に、スカート部の内側に、当該貫通孔からスカート部内部への異物の侵入防止を図る円筒状部材を装着したことを特徴とする。【選択図】    図２
2008005719.tif 000002
【特許請求の範囲】
【請求項１】
リール本体に支持されたスプール軸に取り付き、釣糸を巻回する釣糸巻回胴部と、その前方に設けられた前側フランジ部と、釣糸巻回胴部の後方に設けられた筒状のスカート部とで構成された魚釣用スピニングリールのスプールに於て、
前記スカート部に貫通孔を設けると共に、スカート部の内側に、当該貫通孔からスカート部内部への異物の侵入防止を図る円筒状部材を装着したことを特徴とする魚釣用スピニングリールのスプール。
【請求項２】
前記スカート部の後端側に抜止め部材を係脱自在に装着し、当該抜止め部材を介して前記円筒状部材をスカート部の内側に抜け止め固定したことを特徴とする請求項１に記載の魚釣用スピニングリールのスプール。
【請求項３】
前記円筒状部材を、スカート部より比重の小さい材料で形成したことを特徴とする請求項１または請求項２に記載の魚釣用スピニングリールのスプール。
【発明の詳細な説明】
【技術分野】
【０００１】
本発明は、ハンドルの回転操作に伴い、釣糸案内部を介して釣糸が巻回される魚釣用スピニングリールのスプールに関する。
【背景技術】
【０００２】
従来周知のように魚釣用スピニングリール（以下、「スピニングリール」という）は、ロータに設けた一対の支持アームの先端に、半環状のベールが一対のベール支持部材を介して釣糸巻取り位置と釣糸放出位置とに反転自在に取り付き、スプールに釣糸を案内する釣糸案内部（ラインローラ）が一方のベール支持部材に装着されている。そして、ベールを釣糸放出位置に倒してキャスティングすると、スプールに巻回された釣糸がスパイラル状に解かれて前方へ繰り出され、また、ハンドルの回転操作（巻取り操作）に伴いベールを釣糸巻取り位置へ反転させると、釣糸がベールから釣糸案内部に案内されて、ハンドルの回転操作に連動して前後方向へ往復動するスプールに釣糸が当該釣糸案内部を介して巻回されるようになっている。
【０００３】
而して、スプールは、釣糸を巻回する釣糸巻回胴部と、その前方に設けられて釣糸巻回胴部の外径より大径な前側フランジ部（前側鍔部）と、釣糸巻回胴部の後方に設けられた筒状のスカート部（後側鍔部）とで構成されている。
そして、釣果の向上を図るため、従来、この種のスピニングリールに対し様々な提案がなされており、特許文献１にはスプールの軽量化と意匠性の向上を図るため、スカート部の周壁（周面）に複数の円孔を穿設した構造が開示され、また、特許文献２にはスカート部の周壁に楕円状の面取りが施された複数の円孔を穿設した構造が開示されている。
【特許文献１】特開２００１−１４８９７３号公報
【特許文献２】特開２００３−２０４７３９号公報
【発明の開示】
【発明が解決しようとする課題】
【０００４】
しかし乍ら、特許文献１及び特許文献２に開示されたスプールを用いると、スカート部に設けた円孔から異物（例えば、砂，粉塵，ゴミ等）が内部に侵入し易く、特に砂がスカート部内部に侵入してスプール軸に付着してしまうと、スプールの前後動に支障を来して釣糸のスムーズな巻取り操作が行えなくなるといった問題があった。
本発明は斯かる実情に鑑み案出されたもので、スプールの軽量化を確保しつつ、スプールのスカート部内部への異物の侵入防止を図ると共に、意匠性の向上を図ったスピニングリールのスプールを提供することを目的とする。
【課題を解決するための手段】
【０００５】
斯かる目的を達成するため、請求項１に係る発明は、リール本体に支持されたスプール軸に取り付き、釣糸を巻回する釣糸巻回胴部と、その前方に設けられた前側フランジ部と、釣糸巻回胴部の後方に設けられた筒状のスカート部とで構成されたスピニングリールのスプールに於て、前記スカート部に貫通孔を設けると共に、スカート部の内側に、当該貫通孔からスカート部内部への異物の侵入防止を図る円筒状部材を装着したことを特徴とする。
【０００６】
そして、請求項２に係る発明は、請求項１に記載のスピニングリールのスプールに於て、前記スカート部の後端側に抜止め部材を係脱自在に装着し、当該抜止め部材を介して前記円筒状部材をスカート部の内側に抜け止め固定したことを特徴とし、請求項３に係る発明は、請求項１または請求項２に記載のスピニングリールのスプールに於て、前記円筒状部材を、スカート部より比重の小さい材料で形成したことを特徴とする。
【発明の効果】
【０００７】
請求項１に係る発明によれば、スカート部に貫通孔を設けたことで、スプールが軽量化して操作性が良好になると共に、円筒状部材によって、貫通孔から砂，粉塵，ゴミ等の異物が内部へ侵入するのを防止することができるため、異物がスプール軸等に付着することがなくなり、良好な巻取り操作性を維持することができる利点を有する。
また、貫通孔から露出する円筒状部材が意匠的なアクセントとなって、スプール、ひいてはスピニングリール全体の美観が向上する利点を有する。
【０００８】
そして、請求項２に係る発明によれば、円筒状部材は抜止め部材によって着脱自在に抜け止めされているため、色合いや雰囲気の異なる円筒状部材を別途用意しておけば、釣人の好みに応じた円筒状部材に交換することが可能で意匠性を更に向上させることができる利点を有する。
更に、請求項３に係る発明によれば、円筒状部材がスカート部より比重の小さな材料で形成されているため、スプールの軽量化に支障を来すことがない利点を有する。
【発明を実施するための最良の形態】
【０００９】
以下、本発明の実施形態を図面に基づいて詳細に説明する。
図１は請求項１乃至請求項３の第一実施形態に係るスプールを用いたスピニングリールを示し、図に於て、１は軸受３，５を介してリール本体７の前部に回転可能に軸支された中空なフライヤ軸で、その先端にロータ９がナット１１で固定されている。また、フライヤ軸１の後端のピニオン１３に、ハンドル１５のハンドル軸１７に固着した駆動歯車１９が噛合しており、ハンドル１５の回転操作が、駆動歯車１９，ピニオン１３からフライヤ軸１に伝達されてロータ９が回転するようになっている。
【００１０】
そして、ロータ９の基部には、一対の支持アーム２１，２３がリール本体７の前方へ一体に延設されており、両支持アーム２１，２３の先端に、ベール支持部材２５，２７が釣糸巻取り位置と釣糸放出位置とに反転自在に取り付けられている。そして、両ベール支持部材２５，２７の間に半環状のベール２９が取り付き、一方のベール支持部材２５に釣糸案内部（ラインローラ）３１が回転可能に装着されている。
【００１１】
また、図中、３３はフライヤ軸１を挿通してリール本体７に取り付くスプール軸で、スプール軸３３は、その後端部に固着した摺動子３５やトラバースカム軸３７，前記ピニオン１３に噛合する従動歯車３９等からなる周知のトラバース機構４１により、ハンドル１５の巻取り操作（ロータ９の回転）に連動してリール本体７の前後方向へ往復動するようになっている。
【００１２】
そして、スプール軸３３の先端に螺着した止めねじ（図示せず）と、当該スプール軸３３に回り止め嵌着したストッパプレート（図示せず）とに挟持されて、スプール４３がスプール軸３３の先端側に回り止め嵌合されている。
図２に示すようにスプール４３は、逆テーパー状（後方に向け漸次小径）に形成された釣糸巻回胴部４５と、その前方に形成されて釣糸巻回胴部４５の外径より大径な前側フランジ部４７と、釣糸巻回胴部４５の後方に一体成形された筒状のスカート部４９と、後述する円筒状部材５７及び抜止め部材５９とで構成されている。
【００１３】
図２乃至図５に示すようにスカート部４９の周壁５１の略中央には、当該スカート部４９の略１／２の幅Ｌを有する帯状の長尺な貫通孔５３が、スカート部４９の周方向へ等間隔に複数（本実施形態では５個）穿設されると共に、当該貫通孔５３と同一幅を以ってこれらの間に短寸な貫通孔５５が穿設されて、スプール４３の軽量化が図られている。
尚、釣糸巻回胴部４５やスカート部４９は、従来と同様、アルミニウム等の金属材料で形成されている。
【００１４】
そして、スカート部４９の内側に、周壁５１の内周面に当接する円筒状部材５７が挿着されている。円筒状部材５７はスカート部４９より比重の小さなカーボン繊維等の強化繊維で補強されたＦＲＰ材で形成されたパイプ材で、図３に示すようにスカート部４９の内側の奥行きＭに比し幅狭とされている。そして、図２，図３及び図５に示すようにスカート部４９の後端側に、円筒状部材５７を抜け止め固定する抜止め部材５９が取り付けられている。
【００１５】
図５に示すように抜止め部材５９は、外形がスプール４３の後方へ順次小径なテーパ状に形成された操作環６１と、これに一体成形されてスカート部４９内に挿入可能な筒状部６３とからなり、筒状部６３の外周に雄ネジ部６５が設けられている。
一方、スカート部４９（周壁５１）の後端側内周には、前記雄ネジ部６５が螺合する雌ネジ部６７が設けられており、図３に示すようにこれらのネジ部６５，６７を介して抜止め部材５９をスカート部４９に螺着すると、抜止め部材５９がスカート部４９の内側受け部６９とで円筒状部材５７を挟持して、円筒状部材５７の抜け止めを図るようになっている。
【００１６】
尚、本実施形態は円筒状部材５７をカーボン繊維等の強化繊維で補強されたＦＲＰ材で形成したが、円筒状部材を透明や色付きの合成樹脂材やスカート部４９の肉厚より薄く比重の軽い金属等で形成してもよく、また、円筒状部材５７は抜止め部材５９を介して着脱自在であるから、これらを別途用意して、釣人の好みに応じ円筒状部材を適宜交換可能としてもよい。
【００１７】
本実施形態に係るスプール４３を用いたスピニングリール７１はこのように構成されているから、従来と同様、実釣に当たりベール２９を釣糸放出位置へ倒して釣竿を振り下ろせば、釣糸巻回胴部４５に巻回された釣糸がスパイラル状に解かれて前方へ繰り出され、また、ハンドル１５の巻取り操作に伴いベール２９を釣糸巻取り位置へ反転させれば、釣糸がベール２９から釣糸案内部３１に案内されて、ロータ９の回転に連動して前後方向へ往復動するスプール４３に釣糸が巻回されるが、スプール４３のスカート部４９に既述した形状の貫通孔５３，５５を複数設けているため、スプール４３が軽量化して操作性が良好になる。
【００１８】
そして、スカート部４９の周壁５１の内周面に当接する円筒状部材５７が貫通孔５３，５５を閉塞して、貫通孔５３，５５から砂，粉塵，ゴミ等の異物がスカート部４９の内部へ侵入するのを防止する。
また、円筒状部材５７は、スカート部４９より比重の小さなＦＲＰ材で形成されているため、スプール４３の軽量化に支障を来すことがなく、そして、貫通孔５３，５５から露出する円筒状部材５７が、金属で形成されたスカート部４９の周壁５１と色合い，雰囲気を異にするため、貫通孔５３，５５から露出するこの円筒状部材５７が意匠的なアクセントとなって美観を向上させ、購買者の目を引くこととなる。
【００１９】
更に、既述したようにＦＲＰ材の円筒状部材５７に加え、透明や色付きの合成樹脂材やスカート部４９の肉厚より薄く比重の軽い金属等で形成した円筒状部材を別途用意しておけば、釣人の好みに応じ円筒状部材を適宜交換することができる。
このように、本実施形態によれば、スカート部４９に貫通孔５３，５５を設けたことで、スプール４３が軽量化して操作性が良好になると共に、円筒状部材５７によって、貫通孔５３，５５から砂，粉塵，ゴミ等の異物が内部へ侵入するのを防止することができるため、異物がスプール軸３３等に付着することがなく、良好な巻取り操作性を維持することができる。
【００２０】
また、既述したように円筒状部材５７は、スカート部４９より比重の小さなＦＲＰ材で形成されているため、スプール４３の軽量化に支障を来すことがないし、貫通孔５３，５５から露出する円筒状部材５７が意匠的なアクセントとなって、スプール４３、ひいてはスピニングリール７１全体の美観が向上する利点を有する。
更にまた、円筒状部材５７は抜止め部材５９によって着脱自在に抜け止めされているため、既述したように材質の異なる円筒状部材を別途用意しておけば、釣人の好みに応じた円筒状部材に交換することが可能で意匠性を更に向上させることができる利点を有する。
【００２１】
図６は請求項１乃至請求項３の第二実施形態に係るスプールを示し、本実施形態は、前記円筒状部材５９と同一材料を用いて円筒状部材７３を形成すると共に、円筒状部材７３をスカート部４９の内径に比しやや小径にして、その外周面と周壁５１の内周面との間に空間を設けたもので、スカート部４９の雌ネジ部６７に、円筒状部材７３を抜け止め保持する抜止め部材７５が螺着している。
【００２２】
抜止め部材７５は、断面矩形状に形成された操作環７７と、これに一体成形された二重の筒状部７９，８１とからなり、外側の筒状部７９の外周に、前記雌ネジ部６７に螺着する雄ネジ部８３が設けられている。
そして、内側の筒状部８１の外周に円筒状部材７３が係合し、図６の如くネジ部６７，８３を介して抜止め部材７５をスカート部４９に螺着すると、抜止め部材７５がスカート部４９の内側とで円筒状部材７３を挟持して円筒状部材７３の抜け止めを図るようになっている。
【００２３】
本実施形態に係るスプール８５はこのように構成されているから、前記筒状部８１の外周に係合して、抜止め部材７５とスカート部４９の内側とで挟持された円筒状部材７３が、貫通孔５３，５５から砂，粉塵，ゴミ等の異物がスカート部４９の内部へ侵入するのを防止する。
また、円筒状部材７３はカーボン繊維等の強化繊維で補強されたＦＲＰ材で形成されているため、スプール４３の軽量化に支障を来すことがなく、貫通孔５３，５５から見える円筒状部材７３が金属で形成されたスカート部４９の周壁５１と色合い，雰囲気を異にするため、貫通孔５３，５５から見えるこの円筒状部材７３が意匠的なアクセントとなって美観を向上させる。
【００２４】
更に、本実施形態に於ても、ＦＲＰ材の円筒状部材７３に加え、透明や色付きの合成樹脂材やスカート部４９の肉厚より薄く比重の軽い金属等で形成した円筒状部材を別途用意しておけば、釣人の好みに応じ円筒状部材を適宜交換することができる。
従って、本実施形態によっても、既述した第一実施形態と同様、所期の目的を達成することが可能で、スプール８５が軽量化して操作性が良好になると共に、円筒状部材７３によって、貫通孔５３，５５から砂，粉塵，ゴミ等の異物が内部へ侵入するのを防止することができ、良好な巻取り操作性を維持することができる。
【００２５】
また、円筒状部材７３は、スカート部４９より比重の小さなＦＲＰ材で形成されているため、スプール４３の軽量化に支障を来すことがないし、貫通孔５３，５５から見える円筒状部材７３が意匠的なアクセントとなって、スプール８５、ひいてはスピニングリール全体の美観が向上する利点を有する。
更にまた、円筒状部材７３は抜止め部材７５によって着脱自在に抜け止めされているため、既述したように材質の異なる円筒状部材を別途用意しておけば、釣人の好みに応じた円筒状部材に交換することが可能で意匠性を更に向上させることができる利点を有する。
【００２６】
そして、円筒状部材７３は図２の円筒状部材５７に比し小径に形成されて、周壁５１の内周面との間に空間が設けられているため、本実施形態によれば、前記第一実施形態に比し、円筒状部材７３の着脱がし易くなってスプール８５のメンテナンス性が向上すると共に、円筒状部材７３の外周面の傷付き防止が図れる等の利点を有する。
図７は請求項１乃至請求項３の第三実施形態に係るスプールを示し、本実施形態に係るスプール８７は、スカート部８９の周壁９１の略中央に、スカート部８９の周方向に沿って縦長長円形状の貫通孔９３を等間隔で複数穿設すると共に、前記円筒状部材５９と同一材料で円筒状部材９５をスカート部８９の内径に比しやや小径に形成して、その外周面と周壁９１の内周面との間に空間を設けたものである。
【００２７】
そして、円筒状部材９５は、周壁９１の肉厚に比し薄肉に形成されると共に、スカート部８９の内側の奥行きと同一幅で形成されており、スカート部８９の後端側に、円筒状部材９５を抜け止め保持する抜止め部材９７が取り付けられている。
抜止め部材９７は、外周面にローレット目９９が施された断面略矩形状の操作環１０１と、これに一体成形された環状の係止片（パッチン止め）１０３とからなり、スカート部８９の後端側内周には、当該係止片１０３が係止する環状の係止溝１０５が設けられている。そして、図示するように前記係止溝１０５に係止片１０３を係止して抜止め部材９７をスカート部８９の後端側に取り付けると、スカート部８９の内側に設けた環状の受け部１０７と抜止め部材９７とで円筒状部材９５が挟持されるようになっている。
【００２８】
本実施形態はこのように構成されており、本実施形態によっても、図６のスプール８５と同様、所期の目的を達成することが可能であると共に、抜止め部材９７の操作環１０１の外周面に滑り止め用のローレット目９９が施されているため、抜止め部材９７の着脱に当たり操作性に優れた利点を有する。
図８は請求項１乃至請求項３の第四実施形態に係るスプールを示し、本実施形態に係るスプール１０９は、スカート部１１１の周壁１１３に、横長長円形状の貫通孔１１５を等間隔で周方向に複数穿設し、そして、スカート部１１１の内側に、周壁１１３の内周面に当接する前記円筒状部材５７を挿着すると共に、当該円筒状部材５７を抜け止め保持する環状の抜止め部材１１７を、スカート部１１１の後端側に着脱自在にネジ止めしたものである。
【００２９】
本実施形態はこのように構成されており、本実施形態によっても、図２のスプール４３と同様、所期の目的を達成することが可能である。
図９は請求項１乃至請求項３の第五実施形態に係るスプールを示し、スプール１１９のスカート部１２１の周壁１２３に、円孔からなる複数の貫通孔１２５が周方向に設けられている。
【００３０】
そして、スカート部１２１の内側に、周壁１２３の内周面との間に空間を空けて前記円筒状部材７３が挿着されており、円筒状部材７３はスカート部１２１よりも薄肉となっている。そして、スカート部１２１の後端側外周に設けた雄ネジ部１２７に、円筒状部材７３を抜け止め保持する抜止め部材１２９が螺着している。
図示するように抜止め部材１２９は、断面Ｌ字状に形成された操作環１３１と、これに一体成形された二重の筒状部１３３，１３５とからなり、外側の筒状部１３３の内周に、前記雄ネジ部１２７に螺着する雌ネジ部１３７が設けられている。
【００３１】
そして、内側の筒状部１３５の外周に円筒状部材７３が係合し、図９の如くネジ部１２７，１３７を介して抜止め部材１２９をスカート部１２１に螺着すると、抜止め部材１２９がスカート部１２１の内側とで円筒状部材７３を挟持して円筒状部材７３の抜け止めを図るようになっている。
更に、抜止め部材１２９の操作環１３１には、円孔からなる複数の貫通孔１３９が周方向に設けられており、抜止め部材１２９の着脱の際に、これらの貫通孔１３９が滑り止めの機能を果たすようになっている。
【００３２】
本実施形態はこのように構成されているから、本実施形態によっても、既述した各実施形態と同様、所期の目的を達成することが可能で、スプール１１９が軽量化して操作性が良好になると共に、円筒状部材７３によって、貫通孔１２５から砂，粉塵，ゴミ等の異物が内部へ侵入するのを防止するため、良好な巻取り操作性を維持することができる。
また、円筒状部材７３は、スカート部１２１より比重のＦＲＰ材で薄肉に形成されているため、スプール１１９の軽量化に支障を来すことがなく、貫通孔１２５から見える円筒状部材７３が意匠的なアクセントとなって、スプール１１９、ひいてはスピニングリール全体の美観が向上する利点を有する。
【００３３】
そして、円筒状部材７３の外周面と周壁１２３の内周面との間に空間が設けられているため、円筒状部材７３の外周面の傷付き防止が図れると共に、円筒状部材７３の着脱がし易く、更に抜止め部材１２９の着脱の際に、前記貫通孔１３９が滑り止めの機能を果たすことも相俟って、スプール１１９のメンテナンス性が向上する等の利点を有する。
【図面の簡単な説明】
【００３４】
【図１】請求項１乃至請求項３の第一実施形態に係るスプールを用いたスピニングリールの一部切欠き正面図である。
【図２】請求項１乃至請求項３の第一実施形態に係るスプールの正面図である。
【図３】図２の一部切欠きIII−III線断面図である。
【図４】図２のIV−IV線断面図である。
【図５】図２に示すスプールの分解正面図である。
【図６】請求項１乃至請求項３の第二実施形態に係るスプールの一部切欠き断面図である。
【図７】請求項１乃至請求項３の第三実施形態に係るスプールの一部切欠き正面図である。
【図８】請求項１乃至請求項３の第四実施形態に係るスプールの一部切欠き正面図である。
【図９】請求項１乃至請求項３の第五実施形態に係るスプールの一部切欠き正面図である。
【符号の説明】
【００３５】
１  フライヤ軸
７  リール本体
９  ロータ
１３  ピニオン
１５  ハンドル
１９  駆動歯車
２１，２３  支持アーム
２５，２７  ベール支持部材
３１  釣糸案内部
３３  スプール軸
４１  トラバース機構
４３，８５，８７，１０９，１１９  スプール
４５  釣糸巻回胴部
４７  前側フランジ部
４９，８９，１１１，１２１  スカート部
５１，９１，１１３，１２３  周壁
５３，５５，９３，１１５，１２５，１３９  貫通孔
５７，７３，９５  円筒状部材
５９，７５，９７，１１７，１２９  抜止め部材
６１，７７，１０１，１３１  操作環
６５，８３，１２７  雄ネジ部
６７，１３７  雌ネジ部
７１  スピニングリール
９９  ローレット目
１０３  係止片
１０５  係止溝
【図１】
2008005719.tif 000003
【図２】
2008005719.tif 000004
【図３】
2008005719.tif 000005
【図４】
2008005719.tif 000006
【図５】
2008005719.tif 000007
【図６】
2008005719.tif 000008
【図７】
2008005719.tif 000009
【図８】
2008005719.tif 000010
【図９】
2008005719.tif 000011